(57)【特許請求の範囲】
【請求項１】
第１の端子と、
第２の端子と、
電子回路と、
前記第１の端子に直流電力が重畳されていない場合に前記第１の端子と前記電子回路の入力端とを交流的に接続し、前記第１の端子に直流電力が重畳されている場合に前記第１の端子と前記電子回路の出力端とを交流的に接続する第１の切換手段と、
前記第２の端子に直流電力が重畳されている場合に前記第２の端子と前記電子回路の出力端とを交流的に接続し、前記第２の端子に直流電力が重畳されていない場合に前記第２の端子と前記電子回路の入力端とを交流的に接続する第２の切換手段と、
前記第１の端子と前記電子回路の電源端子とを直流的に接続し、前記第２の端子には直流的に接続されていない第１の電力供給経路と、
前記第２の端子と前記電子回路の電源端子とを直流的に接続し、前記第１の端子には直流的に接続されていない第２の電力供給経路とを備えることを特徴とする電子機器。
【請求項２】
前記第１の端子と前記第２の端子とが互いに異なる形状である請求項１に記載の電子機器。
【請求項３】
前記第１の端子と前記第２の端子とが同一形状である請求項１に記載の電子機器。
【発明の詳細な説明】
【技術分野】
【０００１】
本発明は、電子機器に関し、特に、入力端子または出力端子に外部機器から電力が重畳され、その電力によって電子機器内部の電子回路が駆動する電子機器に関する。
【背景技術】
【０００２】
入力端子または出力端子に外部機器から電力が重畳され、その電力によって電子機器内部の電子回路が駆動する電子機器の一例として、地上デジタル放送受信用ブースターが挙げられる。
【０００３】
従来の地上デジタル放送受信用ブースターは例えば特許文献１に開示されている。ここで、従来の一般的な地上デジタル放送受信用ブースターの回路構成図を図６に示す。
【０００４】
従来の一般的な地上デジタル放送受信用ブースターは、入力端子ＴINと、出力端子ＴOUTと、直流阻止用コンデンサＣ１１及びＣ１２と、高周波阻止用コイルＬ１１と、逆流防止用ダイオードＤ１１と、アンプ１１とを備えている。
【０００５】
出力端子ＴOUTは高周波阻止用コイルＬ１１及び逆流防止用ダイオードＤ１１を介してアンプ１１の電源端子に接続されている。したがって、出力端子ＴOUTに外部機器から重畳されるＤＣ電力がアンプ１１の電源端子に供給され、そのＤＣ電力によってアンプ１１が駆動する。
【０００６】
また、入力端子ＴINは直流阻止用コンデンサＣ１１を介してアンプ１１の入力端に接続されており、アンプ１１の出力端は直流阻止用コンデンサＣ１２を介して出力端子ＴOUTに接続されている。したがって、入力端子ＴINに供給される地上デジタル放送受信信号（高周波信号）が、アンプ１１によって増幅されたのち、出力端子ＴOUTから出力される。
【０００７】
入力端子ＴINは地上デジタル放送受信用アンテナの出力端子に直接接続され、出力端子ＴOUTは同軸ケーブルを介して外部機器である電源部に接続される。
【先行技術文献】
【特許文献】
【０００８】
【特許文献１】特開２０１０−１６５１８号公報（第１図）
【発明の概要】
【発明が解決しようとする課題】
【０００９】
上述した説明から明らかな通り、図６に示す従来の一般的な地上デジタル放送受信用ブースターは、入力端子ＴINと出力端子ＴOUTとを逆にした場合、すなわち、入力端子ＴINを同軸ケーブルを介して外部機器である電源部に接続し、出力端子ＴOUTを地上デジタル放送受信用アンテナの出力端子に直接接続した場合、正常に動作しない。
【００１０】
図６に示す従来の一般的な地上デジタル放送受信用ブースターは、出力端子が第１の形状である地上デジタル放送受信用アンテナと、コネクタが第１の形状と異なる第２の形状である同軸ケーブルとともに使用されることを想定した場合、図７に示す外観正面図のように入力端子ＴINと出力端子ＴOUTとを互いに異なる形状にし、入力端子ＴINを第１の形状の端子と接続可能な形状とし、出力端子ＴOUTを第２の形状の端子と接続可能な形状とする設計が採用される。
【００１１】
ここで、当該設計（図７参照）が採用された図６に示す従来の一般的な地上デジタル放送受信用ブースターについて、出力端子が第２の形状である地上デジタル放送受信用アンテナと、コネクタが第１の形状である同軸ケーブルとともに使用することが可能であるかを検討する。入力端子ＴINと出力端子ＴOUTとを逆にすることで接続自体は問題なく行えるが、入力端子ＴINと出力端子ＴOUTとを逆にすることで図６に示す従来の一般的な地上デジタル放送受信用ブースターは正常に動作しなくなる。したがって、出力端子が第２の形状である地上デジタル放送受信用アンテナと、コネクタが第１の形状である同軸ケーブルとともに使用する場合、図６に示す従来の一般的な地上デジタル放送受信用ブースターの入力端子ＴINと出力端子ＴOUTとを逆にすることはできず、変換コネクタ等を別途用意する必要があった。
【００１２】
また、図６に示す従来の一般的な地上デジタル放送受信用ブースターは、出力端子が第２の形状である地上デジタル放送受信用アンテナと、コネクタが第２の形状である同軸ケーブルとともに使用されることを想定した場合、図８に示す外観正面図のように入力端子ＴINと出力端子ＴOUTとを同一形状にし、入力端子ＴIN、出力端子ＴOUTそれぞれを第２の形状の端子と接続可能な形状とする設計が採用される。
【００１３】
当該設計（図８参照）が採用された図６に示す従来の一般的な地上デジタル放送受信用ブースターを使用する場合、入力端子ＴINと出力端子ＴOUTとを逆にしないように注意する必要があるが、入力端子ＴINと出力端子ＴOUTとが同一形状であるため、一般ユーザーには入力端子ＴINと出力端子ＴOUTとの見分けが付きにくく、図６に示す従来の一般的な地上デジタル放送受信用ブースターの取り付けが容易でなかった。
【００１４】
上記の課題（入力端子と出力端子とを逆にすることができないことに起因する課題）は、地上デジタル放送受信用ブースターに限らず、入力端子または出力端子に外部機器から電力が重畳され、その電力によって電子機器内部の電子回路が駆動する電子機器全般に共通する課題である。
【００１５】
本発明は、上記の状況に鑑み、第１の端子及び第２の端子を備え、入力端子または出力端子に外部機器から電力が重畳され、その電力によって電子機器内部の電子回路が駆動する電子機器であって、第１の端子を入力端子とし第２の端子を出力端子とした場合でも第２の端子を入力端子とし第１の端子を出力端子とした場合でも正常に動作する電子機器を提供することを目的とする。
【課題を解決するための手段】
【００１６】
上記目的を達成するために本発明に係る電子機器は、第１の端子と、第２の端子と、電子回路と、前記第１の端子に電力が重畳されていない場合に前記第１の端子と前記電子回路の入力端とを電気的に接続し、前記第１の端子に電力が重畳されている場合に前記第１の端子と前記電子回路の出力端とを電気的に接続する第１の切換手段と、前記第２の端子に電力が重畳されている場合に前記第２の端子と前記電子回路の出力端とを電気的に接続し、前記第２の端子に電力が重畳されていない場合に前記第２の端子と前記電子回路の入力端とを電気的に接続する第２の切換手段とを備え、前記電子回路が前記第１の端子又は前記第２の端子に重畳されている電力によって駆動する構成とする。
【００１７】
上記構成は、出力端子に外部機器から電力が重畳される電子機器に適用する。第１の端子を入力端子、第２の端子を出力端子とした場合、または、第２の端子を入力端子、第１の端子を出力端子とした場合のいずれであっても、入力端子と電子回路の入力端とを電気的に接続し、出力端子と電子回路の出力端とを電気的に接続することができるので、正常に動作する。
【００１８】
また、上記目的を達成するために本発明に係る電子機器は、第１の端子と、第２の端子と、電子回路と、前記第１の端子に電力が重畳されている場合に前記第１の端子と前記電子回路の入力端とを電気的に接続し、前記第１の端子に電力が重畳されていない場合に前記第１の端子と前記電子回路の出力端とを電気的に接続する第１の切換手段と、前記第２の端子に電力が重畳されていない場合に前記第２の端子と前記電子回路の出力端とを電気的に接続し、前記第２の端子に電力が重畳されている場合に前記第２の端子と前記電子回路の入力端とを電気的に接続する第２の切換手段とを備え、前記電子回路が前記第１の端子又は前記第２の端子に重畳されている電力によって駆動する構成であってもよい。
【００１９】
上記構成は、入力端子に外部機器から電力が重畳される電子機器に適用する。第１の端子を入力端子、第２の端子を出力端子とした場合、または、第２の端子を入力端子、第１の端子を出力端子とした場合のいずれであっても、入力端子と電子回路の入力端とを電気的に接続し、出力端子と電子回路の出力端とを電気的に接続することができるので、正常に動作する。
【００２０】
上記いずれかの構成の電子機器において、前記第１の端子と前記第２の端子とが互いに異なる形状であってもよく、前記第１の端子と前記第２の端子とが同一形状であってもよい。
【発明の効果】
【００２１】
本発明に係る電子機器によると、第１の端子を入力端子、第２の端子を出力端子とした場合、または、第２の端子を入力端子、第１の端子を出力端子とした場合のいずれであっても、入力端子と電子回路の入力端とを電気的に接続し、出力端子と電子回路の出力端とを電気的に接続することができるので、正常に動作する。
【図面の簡単な説明】
【００２２】
【図１】本発明の一実施形態に係る地上デジタル放送受信用ブースターの一使用例を示す図である。
【図２】本発明の一実施形態に係る地上デジタル放送受信用ブースターの回路構成図である。
【図３】本発明の一実施形態に係る地上デジタル放送受信用ブースターの回路構成図である。
【図４】本発明の一実施形態に係る地上デジタル放送受信用ブースターの外観正面図である。
【図５】本発明の一実施形態に係る地上デジタル放送受信用ブースターの他の外観正面図である。
【図６】従来の一般的な地上デジタル放送受信用ブースターの回路構成図である。
【図７】従来の一般的な地上デジタル放送受信用ブースターの外観正面図である。
【図８】従来の一般的な地上デジタル放送受信用ブースターの他の外観正面図である。
【発明を実施するための形態】
【００２３】
本発明の実施形態について図面を参照して以下に説明する。本発明は、入力端子または出力端子に外部機器から電力が重畳され、その電力によって電子機器内部の電子回路が駆動する電子機器全般に適用することができるが、ここでは、当該電子機器の一例である地上デジタル放送受信用ブースターに本発明を適用した場合を例に挙げて説明する。
【００２４】
まず、本発明の一実施形態に係る地上デジタル放送受信用ブースターの一使用例について図１を参照して説明する。
【００２５】
地上デジタル放送受信用アンテナ１は例えばベランダの柵に設置される。本発明の一実施形態に係る地上デジタル放送受信用ブースター２の一端は地上デジタル放送受信用アンテナ１の出力端子に直接取り付けられている。
【００２６】
本発明の一実施形態に係る地上デジタル放送受信用ブースター２の他端には、同軸ケーブル３の一方のコネクタが接続される。また、同軸ケーブル３の他方のコネクタは電源部４の入力端子Ｔ３に接続される。なお、同軸ケーブル３の一方のコネクタ部分の防水性を確保するために、本発明の一実施形態に係る地上デジタル放送受信用ブースター２の他端に同軸ケーブル３の一方のコネクタを接続した後、その接続部分に防水キャップ７をかぶせるようにするとよい。あるいは、防水キャップ７を設けずに、同軸ケーブル３の一方のコネクタを防水型コネクタにしてもよい。
【００２７】
電源部４の出力端子Ｔ４には、同軸ケーブル５の一方のコネクタが接続される。また、同軸ケーブル５の他方のコネクタ（不図示）はデジタルハイビジョンテレビ６の背面に設けられているＵＨＦアンテナ入力端子（不図示）に接続される。
【００２８】
電源部４は、入力端子Ｔ３に入力される地上デジタル放送受信信号（高周波信号）をそのまま出力端子Ｔ４に出力する。また、電源部４は、電源プラグＰ１が商用電源コンセント（不図示）に差し込まれているときに、電源プラグＰ１が商用電源コンセントから受け取るＡＣ１００Ｖ電力をＤＣ１５Ｖ電力に変換し、そのＤＣ１５Ｖ電力を入力端子Ｔ３に重畳する。
【００２９】
次に、本発明の一実施形態に係る地上デジタル放送受信用ブースター２の回路構成及び動作について図２及び図３を参照して説明する。
【００３０】
図２は、第１の端子Ｔ１と地上デジタル放送受信用アンテナ１の出力端子とを接続し、第２の端子Ｔ２と電源部４の入力端子Ｔ３とを同軸ケーブル３を介して接続した場合の、本発明の一実施形態に係る地上デジタル放送受信用ブースター２の回路構成を示す図である。
【００３１】
一方、図３は、第２の端子Ｔ２と地上デジタル放送受信用アンテナ１の出力端子とを接続し、第１の端子Ｔ１と電源部４の入力端子Ｔ３とを同軸ケーブル３を介して接続した場合の、本発明の一実施形態に係る地上デジタル放送受信用ブースター２の回路構成を示す図である。
【００３２】
本発明の一実施形態に係る地上デジタル放送受信用ブースター２は、第１の端子Ｔ１と、第２の端子Ｔ２と、直流阻止用コンデンサＣ１及びＣ２と、高周波阻止用コイルＬ１及びＬ２と、逆流防止用ダイオードＤ１及びＤ２と、アンプ８と、単極双投メカニカルリレーＲＹ１及びＲＹ２とを備えている。
【００３３】
第１の端子Ｔ１は、高周波阻止用コイルＬ１、単極双投メカニカルリレーＲＹ１のリレーコイル、及び逆流防止用ダイオードＤ１を介してアンプ８の電源端子に接続されている。また、第１の端子Ｔ１は、直流阻止用コンデンサＣ１を介して単極双投メカニカルリレーＲＹ１の極に接続されている。そして、単極双投メカニカルリレーＲＹ１の一方の接点はアンプ８の入力端に接続され、単極双投メカニカルリレーＲＹ１の他方の接点はアンプ８の出力端に接続されている。
【００３４】
第２の端子Ｔ２は、高周波阻止用コイルＬ２、単極双投メカニカルリレーＲＹ２のリレーコイル、及び逆流防止用ダイオードＤ２を介してアンプ８の電源端子に接続されている。また、第２の端子Ｔ２は、直流阻止用コンデンサＣ２を介して単極双投メカニカルリレーＲＹ２の極に接続されている。そして、単極双投メカニカルリレーＲＹ２の一方の接点はアンプ８の出力端に接続され、単極双投メカニカルリレーＲＹ２の他方の接点はアンプ８の入力端に接続されている。
【００３５】
なお、単極双投メカニカルリレーＲＹ１は、リレーコイルにＤＣ１５Ｖ電力が供給されていない場合にアンプ８の入力端側の接点を選択し、リレーコイルにＤＣ１５Ｖ電力が供給されている場合にアンプ８の出力端側の接点を選択する。また、単極双投メカニカルリレーＲＹ２は、リレーコイルにＤＣ１５Ｖ電力が供給されている場合にアンプ８の出力端側の接点を選択し、リレーコイルにＤＣ１５Ｖ電力が供給されていない場合にアンプ８の入力端側の接点を選択する。
【００３６】
ここで、本発明の一実施形態に係る地上デジタル放送受信用ブースター２の第１の端子Ｔ１と地上デジタル放送受信用アンテナ１の出力端子とを接続し、本発明の一実施形態に係る地上デジタル放送受信用ブースター２の第２の端子Ｔ２と電源部４の入力端子Ｔ３とを同軸ケーブル３を介して接続した場合の動作について図２を参照して説明する。
【００３７】
第１の端子Ｔ１にＤＣ１５Ｖ電力が重畳されないので、単極双投メカニカルリレーＲＹ１のリレーコイルにＤＣ１５Ｖ電力が供給されず、単極双投メカニカルリレーＲＹ１はアンプ８の入力端側の接点を選択する。一方、第２の端子Ｔ２に同軸ケーブル３を介して電源部４からＤＣ１５Ｖ電力が重畳されるので、単極双投メカニカルリレーＲＹ２のリレーコイルにＤＣ１５Ｖ電力が供給され、単極双投メカニカルリレーＲＹ２はアンプ８の出力端側の接点を選択する。
【００３８】
したがって、第２の端子Ｔ２に同軸ケーブル３を介して電源部４から重畳されるＤＣ１５Ｖ電力がアンプ８の電源端子に供給され、そのＤＣ１５Ｖ電力によってアンプ８が駆動する。また、地上デジタル放送受信用アンテナ１から第１の端子Ｔ１に供給される地上デジタル放送受信信号（高周波信号）が、アンプ８によって増幅されたのち、第２の端子Ｔ２から出力される。すなわち、第１の端子Ｔ１が本発明の一実施形態に係る地上デジタル放送受信用ブースター２の入力端子となり、第２の端子Ｔ２が本発明の一実施形態に係る地上デジタル放送受信用ブースター２の出力端子となり、本発明の一実施形態に係る地上デジタル放送受信用ブースター２は正常に動作する。
【００３９】
続いて、本発明の一実施形態に係る地上デジタル放送受信用ブースター２の第２の端子Ｔ２と地上デジタル放送受信用アンテナ１の出力端子とを接続し、本発明の一実施形態に係る地上デジタル放送受信用ブースター２の第１の端子Ｔ１と電源部４の入力端子Ｔ３とを同軸ケーブル３を介して接続した場合の動作について図３を参照して説明する。
【００４０】
第１の端子Ｔ１に同軸ケーブル３を介して電源部４からＤＣ１５Ｖ電力が重畳されるので、単極双投メカニカルリレーＲＹ１のリレーコイルにＤＣ１５Ｖ電力が供給され、単極双投メカニカルリレーＲＹ１はアンプ８の出力端側の接点を選択する。一方、第２の端子Ｔ２にＤＣ１５Ｖ電力が重畳されないので、単極双投メカニカルリレーＲＹ２のリレーコイルにＤＣ１５Ｖ電力が供給されず、単極双投メカニカルリレーＲＹ２はアンプ８の入力端側の接点を選択する。
【００４１】
したがって、第１の端子Ｔ１に同軸ケーブル３を介して電源部４から重畳されるＤＣ１５Ｖ電力がアンプ８の電源端子に供給され、そのＤＣ１５Ｖ電力によってアンプ８が駆動する。また、地上デジタル放送受信用アンテナ１から第２の端子Ｔ２に供給される地上デジタル放送受信信号（高周波信号）が、アンプ８によって増幅されたのち、第１の端子Ｔ１から出力される。すなわち、第２の端子Ｔ２が本発明の一実施形態に係る地上デジタル放送受信用ブースター２の入力端子となり、第１の端子Ｔ１が本発明の一実施形態に係る地上デジタル放送受信用ブースター２の出力端子となり、本発明の一実施形態に係る地上デジタル放送受信用ブースター２は正常に動作する。
【００４２】
上述した説明から明らかな通り、本発明の一実施形態に係る地上デジタル放送受信用ブースター２は、第１の端子Ｔ１を入力端子、第２の端子Ｔ２を出力端子とした場合、または、第２の端子Ｔ２を入力端子、第１の端子Ｔ１を出力端子とした場合のいずれであっても、正常に動作する。
【００４３】
本発明の一実施形態に係る地上デジタル放送受信用ブースター２は、出力端子が第１の形状である地上デジタル放送受信用アンテナ１と、一方のコネクタが第１の形状と異なる第２の形状である同軸ケーブル３とともに使用されることを想定した場合、図４に示す外観正面図のように第１の端子Ｔ１と第２の端子Ｔ２とを互いに異なる形状にし、第１の端子Ｔ１を第１の形状の端子と接続可能な形状とし、第２の端子Ｔ２を第２の形状の端子と接続可能な形状とする設計が採用される。
【００４４】
ここで、当該設計（図４参照）が採用された本発明の一実施形態に係る地上デジタル放送受信用ブースター２について、出力端子が第２の形状である地上デジタル放送受信用アンテナ１と、一方のコネクタが第１の形状である同軸ケーブル３とともに使用することが可能であるかを検討する。第１の端子Ｔ１を出力端子とし第２の端子Ｔ２を入力端子とすることで接続が問題なく行え、さらに、第１の端子Ｔ１を出力端子とし第２の端子Ｔ２を入力端子とする場合であっても第１の端子Ｔ１を入力端子とし第２の端子Ｔ２を出力端子とする場合と同様に本発明の一実施形態に係る地上デジタル放送受信用ブースター２は正常に動作する。したがって、出力端子が第２の形状である地上デジタル放送受信用アンテナ１と、一方のコネクタが第１の形状である同軸ケーブル３とともに使用する場合、変換コネクタ等を別途用意する必要がない。
【００４５】
また、本発明の一実施形態に係る地上デジタル放送受信用ブースター２は、出力端子が第２の形状である地上デジタル放送受信用アンテナ１と、一方のコネクタが第２の形状である同軸ケーブル３とともに使用されることを想定した場合、図５に示す外観正面図のように第１の端子Ｔ１と第２の端子Ｔ２とを同一形状にし、第１の端子Ｔ１、第２の端子Ｔ２それぞれを第２の形状の端子と接続可能な形状とする設計が採用される。
【００４６】
当該設計（図５参照）が採用された本発明の一実施形態に係る地上デジタル放送受信用ブースター２を使用する場合、第１の端子Ｔ１を入力端子とし第２の端子Ｔ２を出力端子としてもよく、第１の端子Ｔ１を出力端子とし第２の端子Ｔ２を入力端子としてもよい。したがって、第１の端子Ｔ１と第２の端子Ｔ２との見分けが付きにくい一般ユーザーにとって、本発明の一実施形態に係る地上デジタル放送受信用ブースター２の取り付けが容易になる。
【００４７】
以上、本発明に係る実施形態について説明したが、本発明の範囲はこれに限定されるものではなく、発明の主旨を逸脱しない範囲で種々の変更を加えて実行することができる。
【００４８】
例えば、上述した実施形態では、本発明に係る電子機器（本発明の一実施形態に係る地上デジタル放送受信用ブースター２）の出力端子に外部機器（電源部４）から電力が重畳され、その電力によって本発明に係る電子機器内部の電子回路（アンプ８）が駆動する構成であったが、入力端子に外部機器から電力が重畳され、その電力によって電子機器内部の電子回路が駆動する構成であってもよい。この場合、本発明に係る電子機器の入力端子に外部機器が接続され、入力信号に電力が重畳されたものが当該外部機器から本発明に係る電子機器の入力端子に供給されるようにする。そして、各切換手段（単極双極メカニカルリレーＲＹ１及びＲＹ２）の選択を、上述した実施形態と逆にすればよい。
【００４９】
また、例えば、上述した実施形態では、本発明に係る電子機器（本発明の一実施形態に係る地上デジタル放送受信用ブースター２）の出力端子に外部機器（電源部４）からＤＣ電力（ＤＣ１５Ｖ電力）が重畳され、そのＤＣ電力によって本発明に係る電子機器内部の電子回路（アンプ８）が駆動する構成であったが、本発明に係る電子機器の入力端子または出力端子に外部機器から重畳される電力はＡＣ電力であってもよい。この場合、本発明に係る電子機器内部の電子回路をＡＣ電力で駆動する回路とすればよい。
【符号の説明】
【００５０】
１  地上デジタル放送受信用アンテナ
２  本発明の一実施形態に係る地上デジタル放送受信用ブースター
３、５  同軸ケーブル
４  電源部
６  デジタルハイビジョンテレビ
７  防水キャップ
８、１１  アンプ
Ｃ１、Ｃ２、Ｃ１１、Ｃ１２  直流阻止用コンデンサ
Ｄ１、Ｄ２、Ｄ１１  逆流防止用ダイオード
Ｌ１、Ｌ２、Ｌ１１  高周波阻止用コイル
Ｐ１  電源プラグ
ＲＹ１、ＲＹ２  単極双投メカニカルリレー
Ｔ１  第１の端子
Ｔ２  第２の端子
Ｔ３、ＴIN  入力端子
Ｔ４、ＴOUT  出力端子
【図１】
0005502527.tif 000002
【図２】
0005502527.tif 000003
【図３】
0005502527.tif 000004
【図４】
0005502527.tif 000005
【図５】
0005502527.tif 000006
【図６】
0005502527.tif 000007
【図７】
0005502527.tif 000008
【図８】
0005502527.tif 000009